(57)【要約】【課題】開口及び蓋体のサイズを小さくしても、表示部材を取り出して表示を容易に見ることができる携帯端末を提供する。【解決手段】携帯電話機（１Ａ）は、表記が必要な記号である表記必要記号を表示する表示プレート（１２）を収容する。表示プレート（１２）を出し入れするための開口（２ａ）を有するキャビネット（２）と、開口（２ａ）を施蓋する蓋体（１０）とを備えている。表示プレート（１２）は、蓋体（１０）を開状態にするときの引き出し移動に伴って引き出されるようになっている。【選択図】図１
2019186769.tif 000002
【特許請求の範囲】
【請求項１】
携帯端末に表記が必要な記号である表記必要記号を表示する表示部材を収容する携帯端末において、
前記表示部材を出し入れするための開口を有する筐体と、
前記開口を施蓋する蓋体とを備えていると共に、
前記表示部材は、前記蓋体を開状態にするときの引き出し移動に伴って引き出されるようになっていることを特徴とする携帯端末。
【請求項２】
前記表示部材は、前記筐体の内部において前記蓋体の引き出し移動を案内する引き出し案内軸としての機能を有していることを特徴とする請求項１に記載の携帯端末。
【請求項３】
前記表示部材は、前記蓋体に接合されていることを特徴とする請求項１又は２に記載の携帯端末。
【請求項４】
前記表示部材は、前記蓋体に一体成形されていることを特徴とする請求項１、２又は３に記載の携帯端末。
【請求項５】
前記蓋体及び表示部材のいずれか一方にはフック部が設けられ、前記蓋体及び表示部材のいずれか他方には被フック部が設けられ、
前記蓋体を開状態にするときの引き出し移動するときに、前記フック部が被フック部に係止されるようになっていることを特徴とする請求項１又は２に記載の携帯端末。
【請求項６】
前記フック部が被フック部に係止されたときに、該係止が外れるのを防止する係止解除防止部材が設けられていることを特徴とする請求項５に記載の携帯端末。
【請求項７】
前記表示部材は、前記蓋体の厚み方向の一部に設けられていることを特徴とする請求項１〜６のいずれか１項に記載の携帯端末。
【請求項８】
前記表示部材は、前記蓋体の幅方向の一部に設けられていることを特徴とする請求項１〜６のいずれか１項に記載の携帯端末。
【請求項９】
前記表示部材は、引き出し奥部が引き出し手前部よりも幅の広い幅広部を有していることを特徴とする請求項１〜７のいずれか１項に記載の携帯端末。
【請求項１０】
前記表示部材には、引き出し時に、前記筐体における開口に引っ掛かって引き出し動作に抵抗となる突起が形成されていることを特徴とする請求項１〜９のいずれか１項に記載の携帯端末。
【請求項１１】
前記表示部材の引き出し時に、前記表示部材が傾くのを防止する傾き防止部材が設けられていることを特徴とする請求項１〜１０のいずれか１項に記載の携帯端末。
【請求項１２】
前記表示部材の引き出し時に、前記表示部材が前記筐体から抜け落ちるのを防止する抜け落ち防止部材が設けられていることを特徴とする請求項１〜１１のいずれか１項に記載の携帯端末。
【発明の詳細な説明】
【技術分野】
【０００１】
本発明は、携帯端末に表記が必要な記号である表記必要記号を表示する表示部材を収容する携帯端末に関するものである。
【背景技術】
【０００２】
ＩＭＥＩ（International Mobile Equipment Identifier）は、国際移動体装置識別番号（端末識別番号）を意味し、携帯電話機やデータ通信カードが１台ずつ持っている識別番号であり、原則として、各携帯端末はそれぞれ異なる番号を有する。この識別番号は、通常１５桁の数字からなっており、装置を製造したメーカーと機種を示す番号、生産国、固体に割り振られたシリアル番号、ＩＭＥＩが正しい内容であることを検証するためのチェックデジットが含まれている。
【０００３】
近年のスマートフォン等の携帯端末では、充電池の出し入れができなくなって電池蓋が無くなったものが増えてきている。従来、この電池蓋に隠れる場所に標記されていたＩＭＥＩ、製造番号等の重要情報を、外観を損ねることなく標記する必要が生じている。そこで、筐体内のいずれかに設けたトレイに上記重要情報を記載されることが知られている。
【０００４】
例えば特許文献１に開示された携帯端末１００では、図１０に示すように、端末固有のＩＭＥＩ番号を標記した表示トレイ１１１は、ＳＤカード１１２及びＳＩＭカード１１３と一緒に、カバー１０１を開けたトレイ用開口１０２に挿し込んで配置されている。そして、カバー１０１を開け、表示トレイ１１１を引き出すことにより、ＩＭＥＩの番号が確認できるようになっている。
【先行技術文献】
【特許文献】
【０００５】
【特許文献１】特開２０１５−１４６４７２号公報（２０１５年８月１３日公開）
【発明の概要】
【発明が解決しようとする課題】
【０００６】
ところで、近年、携帯端末の小型化及び薄型化に伴い、トレイ用開口の大きさを小さくすることが求められる。
【０００７】
しかしながら、上記従来の携帯端末の構成で は、表示トレイ１１１を引き出すためにトレイ用開口１０２に指や治具を挿入する空間が必要になり、トレイ用開口１０２のサイズ が小さくなるとトレイ用開口１０２から表示トレイ１１１を引き出し難くなるという問題点を有している。
【０００８】
本発明の一態様は、上記従来の問題点に鑑みなされたものであって、その目的は、開口及び蓋体のサイズを小さくしても、表示部材を取り出して表示を容易に見ることができる携帯端末を提供することにある。
【課題を解決するための手段】
【０００９】
本発明の一態様における携帯端末は、上記の課題を解決するために、携帯端末に表記が必要な記号である表記必要記号を表示する表示部材を収容する携帯端末において、前記表示部材を出し入れするための開口を有する筐体と、前記開口を施蓋する蓋体とを備えていると共に、前記表示部材は、前記蓋体を開状態にするときの引き出し移動に伴って引き出されるようになっていることを特徴としている。
【発明の効果】
【００１０】
本発明の一態様によれば、開口及び蓋体のサイズを小さくしても、表示部材を取り出して表示を容易に見ることができる携帯端末を提供するという効果を奏する。
【図面の簡単な説明】
【００１１】
【図１】（ａ）は本発明の実施形態１における携帯端末の構成を示すものであって、携帯端末の全体構成を示す斜視図であり、（ｂ）は蓋体が閉状態となっている携帯端末の要部を示す斜視図であり、（ｃ）は蓋体が引き出されて該蓋体が開状態となっている状態の携帯端末の要部を示す斜視図である。
【図２】（ａ）は前記携帯端末の蓋体が表示プレートに接着された携帯端末を示す断面図であり、（ｂ）は前記携帯端末の蓋体が表示プレートに一体成形された携帯端末を示す断面図であり、（ｃ）は蓋体にフック部が設けられ、表示プレートに被フック部が設けられた前記携帯端末を示す断面図であり、（ｄ）は係止が外れるのを防止する係止解除防止部材が設けられた前記携帯端末を示す断面図である。
【図３】本発明の変形例における携帯端末の構成を示すものであって、蓋体が複数設けられた前記携帯端末を示す断面図である。
【図４】（ａ）は本発明の実施形態２における携帯端末の構成を示すものであって、前記蓋体の厚み方向の一部に表示プレートが設けられた前記携帯端末を示す斜視図であり、（ｂ）は前記蓋体の厚み方向の一部において幅方向の端部側に表示プレートが設けられた前記携帯端末を示す斜視図であり、（ｃ）は前記蓋体の幅方向の一部に表示プレートが設けられた前記携帯端末を示す斜視図である。
【図５】（ａ）は本発明の変形例における携帯端末の構成を示すものであって、前記表示プレートの引き出し奥部が引き出し手前部よりも幅の広い幅広部となっている前記携帯端末を示す斜視図であり、（ｂ）は前記幅広部に筐体におけるプレート用開口に引っ掛かって引き出し動作に抵抗となる突起が形成されている前記携帯端末を示す斜視図である。
【図６】（ａ）は突起の作用を示すものであって、蓋体が閉状態であるときの表示プレートを示す断面図であり、（ｂ）は蓋体が引き出されて、突起が開口の縁部に形成された引っ掛かり部に引っ掛かっている状態を示す断面図であり、（ｃ）は突起が開口の縁部における引っ掛かり部を越えて引き出された状態を示す断面図である。
【図７】（ａ）は本発明の実施形態３における携帯端末の構成を示すものであって、前記表示プレートが傾くのを防止する傾き防止部材としての基板が設けられた前記携帯端末を示す断面図であり、（ｂ）は、蓋体の上面を除いて示すその平面図である。
【図８】（ａ）は表示プレートが傾くのを防止する傾き防止部材及び表示プレートが筐体から抜け落ちるのを防止する抜け落ち防止部材としてのプレート貫通用孔部が筐体に設けられた携帯電話機を示す断面図であり、（ｂ）は、筐体の上面を除いて示すその平面図である。
【図９】（ａ）は表示プレートが傾くのを防止する傾き防止部材及び表示プレートが筐体から抜け落ちるのを防止する抜け落ち防止部材としてのプレート貫通用孔部が筐体に設けられ、かつ表示プレートが傾斜部を介して２段となっている携帯電話機を示す断面図であり、（ｂ）は筐体の上面を除いて示すその平面図である。
【図１０】従来の携帯端末の要部構成を示す斜視図である。
【発明を実施するための形態】
【００１２】
〔実施の形態１〕
本発明の一実施形態について図１〜図３に基づいて説明すれば、以下のとおりである。
【００１３】
本実施の形態の携帯端末は、スマートフォン等の携帯電話機又はタブレット等に利用される携帯端末である。
【００１４】
本実施の形態における携帯端末としての例えば携帯電話機１Ａの構成について、図１の（ａ）（ｂ）（ｃ）に基づいて説明する。図１の（ａ）は、本実施の形態における携帯端末としての携帯電話機１Ａの全体構成を示す斜視図である。図１の（ｂ）は、筐体としてのキャビネット２の蓋体１０が閉状態となっている携帯電話機１Ａの要部を示す斜視図である。図１の（ｃ）は、蓋体１０が引き出されて該蓋体１０が開状態となっている携帯電話機１Ａの要部を示す斜視図である。
【００１５】
本実施の形態の携帯電話機１Ａは、図１の（ａ）に示すように、筐体としてのキャビネット２の表面に表示部３を備えている。
【００１６】
ところで、携帯電話機１Ａ等の携帯端末においては、１台毎に、個別の表記必要記号としての国際移動体装置識別番号（端末識別番号）を有している。この端末識別番号は、通常１５桁の数字からなっており、装置を製造したメーカーと機種を示す番号、生産国、固体に割り振られたシリアル番号等が含まれている。
【００１７】
この端末識別番号は、必要があればいつでも直ぐに確認できるようになっている必要があるが、キャビネット２の裏面等に個別の刻印表示等をすることは困難である。そこで、一般的には、表示プレートに端末識別番号に表示し、その表示プレートをキャビネット２に収容し、必要に応じて、その表示プレートを引き出して、端末識別番号を視認するようになっている。
【００１８】
本実施の形態の携帯電話機１Ａにおいても、図１の（ａ）（ｂ）（ｃ）に示すように、キャビネット２の側面における開口２ａを通してキャビネット２の内部に収容された表示部材として表示プレート１２を出し入れして、表示プレート１２の識別番号記載部１２ａの内容である表記必要記号としての端末識別番号を確認することができるようになっている。尚、本実施の形態では、表記必要記号としての端末識別番号を例示して説明するが、表記必要記号は、必ずしもこれに限らず、例えば、ＣＥマークやＴＥＬＥＣ番号等の認証記号を含む。ＣＥマークは、製品を欧州に輸出する際、必要になるマークである。また、ＴＥＬＥＣ番号は、技術基準適合証明の認証に用いるものである。
【００１９】
ここで、従来の携帯端末の構成では、表示プレートを引き出すために開口に指や治具を挿入する空間が必要になり、開口のサイズ が小さくなると開口から表示プレートを引き出し難くなるという問題点を有している。
【００２０】
そこで、本実施の形態の携帯電話機１Ａでは、図１の（ａ）（ｂ）（ｃ）に示すように、開口２ａを施蓋する蓋体１０を備えていると共に、表示プレート１２は、蓋体１０を開状態にするときの引き出し移動に伴って引き出されるようになっている。尚、蓋体１０は閉状態では開口２ａに嵌合されており、例えば、キャビネット２を傾けただけで蓋体１０が開状態になるということはないものとなっている。
【００２１】
すなわち、本実施の形態の携帯電話機１Ａでは、表示プレート１２は、キャビネット２の内部において蓋体１０の引き出し移動を案内する引き出し案内軸としての機能を有している。
【００２２】
これにより、蓋体１０は、引き出し案内軸として機能する表示プレート１２に案内されて引き出されて開状態となる。この結果、本実施の形態では、蓋体１０の開閉方式を引き出し方式に変え、引き出し案内軸に端末識別番号を表示している。このため、蓋体１０の開動作と表示プレート１２の引き出し動作とが連動するので、蓋体１０を開状態にした後、別途に表示プレート１２を取り出すという行為が不要となる。この結果、別途に表示プレート１２を取り出すための指等を挿入する空間を設ける必要がなくなるので、開口２ａ及び蓋体１０のサイズを小さくすることが可能となっている。尚、蓋体１０を開けるときには、蓋体１０に形成された治具挿入孔１１に図示しないピン等の治具を挿入することにより、蓋体１０を容易に引き出すことができる。
【００２３】
したがって、開口２ａ及び蓋体１０のサイズを小さくしても、表示プレート１２を取り出して表示を容易に見ることができる携帯電話機１Ａを提供することができるものとなっている。
【００２４】
ここで、本実施の形態の蓋体１０及び表示プレート１２の構成について、図２の（ａ）（ｂ）（ｃ）（ｄ）に基づいて、詳細に説明する。図２の（ａ）は、蓋体１０が表示プレート１２に接着された携帯電話機１Ａを示す断面図である。図２の（ｂ）は、蓋体１０が表示プレート１２に一体成形された携帯電話機１Ａを示す断面図である。図２の（ｃ）は、蓋体１０のプレート取付部１３にフック部１３ａが設けられ、表示プレート１２に被フック部としてのフック部用開口１２ｂが設けられた携帯電話機１Ａを示す断面図である。図２の（ｄ）は、係止が外れるのを防止する係止解除防止部材１５が設けられた携帯電話機１Ａを示す断面図である。
【００２５】
図２の（ａ）に示すように、本実施の形態の携帯電話機１Ａでは、例えば、蓋体１０のプレート取付部１３と表示プレート１２とが接着剤１４にて接着されている。これにより、接着剤１４を用いて表示プレート１２と蓋体１０とを接合により容易に一体化することができる。尚、接合方法においては、必ずしも接着に限らず、溶着、粘着でもよい。
【００２６】
また、本実施の形態においては、蓋体１０と表示プレート１２との一体化については、必ずしも接合に限らず、図２の（ｂ）に示すように、例えば、蓋体１０と表示プレート１２とを同じ材料で一体成形することが可能である。この結果、蓋体１０と表示プレート１２との接合工程を省略することができるので、工数の削減を図ることができる。
【００２７】
さらに、本実施の形態における携帯電話機１Ａでは、図２の（ｃ）に示すように、蓋体１０のプレート取付部１３にフック部１３ａを設けると共に、表示プレート１２には被フック部としてのフック部用開口１２ｂを設けた構造とすることが可能である。尚、フック部用開口１２ｂはフック部１３ａに嵌合される孔ではなくてもよい。具体的には、フック部用開口１２ｂは長孔からなっており、蓋体１０を開状態にするときの引き出し移動するときに、フック部１３ａがフック部用開口１２ｂの縁部に係止されるようになっていてもよい。
【００２８】
これにより、蓋体１０が閉状態であるときには、蓋体１０と表示プレート１２とは一体化されていないが、蓋体１０を引っ張り出すことによって、フック部１３ａがフック部用開口１２ｂに係止されて表示プレート１２が引き出される。この方法によっても、表示プレート１２は、蓋体１０を開状態にするときの引き出し移動に伴って引き出されるようになっている。
【００２９】
尚、本実施の形態では、蓋体１０のプレート取付部１３にフック部１３ａを設けると共に、表示プレート１２に被フック部としてのフック部用開口１２ｂを設けたが、必ずしもこれに限らず、表示プレート１２にフック部を設けると共に、蓋体１０のプレート取付部１３に被フック部を設けることも可能である。
【００３０】
また、フック部１３ａ及びフック部用開口１２ｂを設けた構成においては、図２の（ｄ）に示すように、フック部１３ａの先端側に係止解除防止部材１５を接着等により設けておくことが可能である。この係止解除防止部材１５は、フック部１３ａがフック部用開口１２ｂに係止されたときに、フック部１３ａのフック部用開口１２ｂへの係止が外れるのを防止するようになっている。
【００３１】
これにより、係止解除防止部材１５により、蓋体１０を開状態にするときの引き出し移動に伴って表示プレート１２を引き出す場合に、係止解除防止部材１５により、フック部１３ａにおけるフック部用開口１２ｂへの係止が解除されることなく、表示プレート１２を確実に引き出すことができる。
【００３２】
このように、本実施の形態の携帯電話機１Ａでは、携帯電話機１Ａに表記が必要な記号である表記必要記号としての端末識別番号を表示する表示部材としての表示プレート１２を収容していると共に、表示プレート１２を出し入れするための開口２ａを有する筐体としてのキャビネット２と、開口２ａを施蓋する蓋体１０とを備えている。表示プレート１２は、蓋体１０を開状態にするときの引き出し移動に伴って引き出されるようになっている。
【００３３】
このため、蓋体１０の開動作と表示プレート１２の引き出し動作とが連動しているので、蓋体１０を開状態にした後、別途に表示プレート１２を取り出す行為が不要となる。この結果、別途に表示部材を取り出すための指等を挿入する空間を設ける必要がなくなる。
【００３４】
したがって、開口２ａ及び蓋体１０のサイズを小さくしても、表示プレート１２を取り出して端末識別番号の表示を容易に見ることができる携帯電話機１Ａを提供することができる。延いては、携帯電話機１Ａの小型化及び薄型化を図ることができる。
【００３５】
尚、本発明の一態様においては、上記の実施の形態に限定されるものではなく、本発明の一態様の範囲内で種々の変更が可能である。例えば、上記実施の形態では、キャビネット２の側面に１つの蓋体１０が設けられていた。しかし、必ずしもこれに限らず、例えば、図３に示すように、蓋体１０は複数個存在してもよい。また、蓋体１０は、キャビネット２の度の面にあってもよい。これにより、例えば、端末識別番号を複数箇所に分けて記載することが可能となる。
【００３６】
〔実施の形態２〕
本発明の他の実施の形態について図４〜図６に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００３７】
本実施の形態の携帯端末としての携帯電話機１Ｂは、前記実施の形態１の携帯電話機１Ａの構成に加えて、蓋体１０に対する表示プレートの取り付け位置及び形状が異なっている。
【００３８】
本実施の形態の携帯端末としての携帯電話機１Ｂの構成について、図４の（ａ）（ｂ）（ｃ）に基づいて説明する。図４の（ａ）は、本実施の形態における携帯電話機１Ｂの構成を示すものであって、蓋体１０の厚み方向の一部に表示部材としての表示プレート２１が設けられた携帯電話機１Ｂを示す斜視図である。図４の（ｂ）は、蓋体１０の厚み方向の一部において幅方向の端部側に表示部材としての表示プレート２２が設けられた携帯電話機１Ｂを示す斜視図である。図４の（ｃ）は、蓋体１０の幅方向の一部に表示部材としての表示プレート２３が設けられた携帯電話機１Ｂを示す斜視図である。
【００３９】
本実施の形態の携帯端末としての携帯電話機１Ｂは、図４の（ａ）に示すように、例えば、表示部材としての表示プレート２１は、蓋体１０の厚み方向の一部に設けられている。具体的には、図４の（ａ）に示すように、表示プレート２１は、蓋体１０の厚み方向において、蓋体１０の上面側に設けられている。
【００４０】
これにより、蓋体１０の幅方向においては表示プレート２１が存在しないので、蓋体１０の幅方向の長さを短くすることが可能となる。このため、蓋体１０及び開口２ａの幅高校のサイズを小さくすることが可能となる。
【００４１】
尚、上記の構成においては、表示プレート２１を薄板状に形成して、蓋体１０の厚み方向の一部である例えば上面に表示プレート２１を接合した。しかし、必ずしもこれに限らず、例えば、表示プレート２１を蓋体１０の厚み方向の一部である例えば中央や下面に接合することが可能である。
【００４２】
また、上記の構成においては、表示プレート２１を蓋体１０の厚み方向の一部に設ける際に、蓋体１０の幅長さ全域の幅を有するように表示プレート２１を設けている。しかし必ずしもこれに限らず、図４の（ｂ）に示すように、例えば、蓋体１０の幅方向の端部側にのみの幅を有するように表示プレート２２を設けることが可能である。つまり、表示プレート２２が蓋体１０の幅方向の一方に寄っていてもよい。これにより、開口２ａにおいて、表示プレート２２が存在しない領域Ｌができる。このため、キャビネット２の内部に例えば、ＳＩＭ（Subscriber Identity Module）カードやＳＤメモリカード等の他の構成物が収容されている場合に、他の構成物の取り出しに該表示プレート２２が邪魔になるのを防止することができる。
【００４３】
また、本実施の形態の携帯電話機１Ｂでは、図４の（ｃ）に示すように、表示プレート２３は、蓋体１０の幅方向の一部に設けられているとすることができる。具体的には、図４の（ｃ）に示すように、表示プレート２３を薄板状に形成して、該表示プレート２３を蓋体１０の幅方向の一部である例えば側面に接合することが可能である。これにより、蓋体１０の厚み方向においては表示プレート２３が存在しないので、蓋体１０の厚み方向の長さを短くすることが可能となる。尚、この場合においては、端末識別番号の記載面が蓋体１０の上面に対して直交する面とすることが可能である。
【００４４】
このように、本実施の形態の携帯電話機１Ｂにおいては、蓋体１０の厚み方向の一部又は蓋体１０の幅方向の一部に表示プレート２１・２２・２３が設けられている。これにより、蓋体１０の幅方向の長さ又は厚み方向の長さを短くすることが可能となる。
【００４５】
尚、本発明の一態様においては、上記の実施の形態に限定されるものではなく、本発明の一態様の範囲内で種々の変更が可能である。例えば、上記実施の形態では、図４の（ａ）（ｂ）（ｃ）に示すように、表示プレート２１・２２・２３の幅は、奥行き方向に向かっていずれも均一であった。しかし、必ずしも表示プレート２１・２２・２３の幅は、奥行き方向に向かっていずれも均一である必要はない。
【００４６】
例えば、図５の（ａ）に示すように、表示部材としての表示プレート２４は、引き出し奥部が引き出し手前部よりも幅の広い幅広部２４ａを有しているとすることができる。
【００４７】
これにより、表示プレート２４における引き出し奥部の幅広部２４ａでは、端末識別番号を表示する領域が大きくなるので、端末識別番号等を表示するための表示領域を増大することができる。また、引き出し手前部は、幅広部２４ａに比べて狭くなっている。このため、例えばＳＩＭカードが表示プレート２４に重ねて収容されている場合に、ＳＩＭカードを容易に取り出すことが可能となる。また、幅広部２４ａの存在により、表示プレート２４の強度を増加することができる。
【００４８】
また、本実施の形態における携帯電話機１Ｂでは、前記図５の（ａ）の構成に加えて、図５の（ｂ）に示すように、表示プレート２４には、引き出し時に、キャビネット２における開口２ａに引っ掛かって引き出し動作に抵抗となる突起２４ｂが形成されているとすることができる。尚、このようになるためには、突起２４ｂ又は開口２ａの縁が弾性部材からなっていることが好ましい。
【００４９】
上記図５の（ｂ）の構成の作用について、図６の（ａ）（ｂ）（ｃ）に基づいて詳細に説明する。図６の（ａ）は突起２４ｂの作用を示すものであって、蓋体１０が閉状態であるときの表示プレート２４を示す断面図である。図６の（ｂ）は、蓋体１０が引き出されて、突起２４ｂが開口２ａの縁部に形成された引っ掛かり部２ｂに引っ掛かっている状態を示す断面図である。図６の（ｃ）は、突起２４ｂが開口２ａの縁部における引っ掛かり部２ｂを越えて引き出された状態を示す断面図である。
【００５０】
すなわち、図６の（ａ）に示すように、表示プレート２４の幅広部２４ａの側面には、側方に突出する突起２４ｂが掲載されている。また、開口２ａの縁部には、表示プレート２４の引き出し時に、突起２４ｂに少し接触する引っ掛かり部２ｂが形成されている。そして、突起２４ｂは弾性部材からなっている。
【００５１】
この構成により、表示プレート２４が引き出されると、図６の（ｂ）に示すように、突起２４ｂが開口２ａにおける縁部に形成された引っ掛かり部２ｂに当接するので、突起２４ｂが引っ掛かり部２ｂに引っ掛かって引き出し動作に抵抗となる。したがって、通常では、この状態で表示プレート２４に表示された端末識別番号を確認することができるようになっている。このため、端末識別番号の確認が終われば、表示プレート２４を押して奥入り移動させることにより、図６の（ａ）に示すように、蓋体１０の閉状態に戻すことができる。
【００５２】
一方、図６の（ｂ）に示す状態から強い力で表示プレート２４を引っ張ると、突起２４ｂが弾性部材からなっているので、図６の（ｃ）に示すように、突起２４ｂが引っ掛かり部２ｂを越えた状態に表示プレート２４を引き出すことができる。これにより、表示プレート２４の幅広部２４ａの内容を見たり、表示プレート２４をキャビネット２から完全に取り出したりすることができる。尚、表示プレート２４をキャビネット２から完全に取り出しても、該表示プレート２４を開口２ａに戻すと共に、少し力を加えて押すことにより、図６の（ａ）に示す蓋体１０を閉じた状態にすることができる。
【００５３】
尚、本実施の形態では、表示プレート２４における幅広部２４ａに突起２４ｂを設けたが、突起２４ｂは、必ずしも幅広部２４ａに設ける必要はなく、実施の形態１にて説明した幅に変化の無い表示プレート１２に設けることも可能である。
【００５４】
〔実施の形態３〕
本発明のさらに他の実施の形態について図７〜図９に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００５５】
本実施の形態の携帯端末としての携帯電話機１Ｃは、図７の（ａ）（ｂ）（ｃ）〜図９の（ａ）（ｂ）（ｃ）に示すように、前記実施の形態１及び実施の形態２の構成に加えて、表示部材としての表示プレート３１・３２・３３の引き出し時に、表示プレート３１・３２・３３が傾くのを防止する傾き防止部材が設けられている点が異なっている。
【００５６】
本実施の形態の携帯電話機１Ｃの構成について、図７の（ａ）（ｂ）（ｃ）〜図９の（ａ）（ｂ）（ｃ）に基づいて説明する。図７の（ａ）は、表示プレート３１が傾くのを防止する傾き防止部材としての基板４が設けられた携帯電話機１Ｃを示す断面図であり、図７の（ｂ）は、キャビネット２の上面を除いて示すその平面図である。また、図８の（ａ）は、表示プレート３２が傾くのを防止する傾き防止部材及び表示プレート３２がキャビネット２から抜け落ちるのを防止する抜け落ち防止部材としてのプレート貫通用孔部２ｃがキャビネット２に設けられた携帯電話機１Ｃを示す断面図であり、図８の（ｂ）は、キャビネット２の上面を除いて示すその平面図である。図９の（ａ）は、表示プレート３３が傾くのを防止する傾き防止部材及び表示プレート３３がキャビネット２から抜け落ちるのを防止する抜け落ち防止部材としてのプレート貫通用孔部２ｄがキャビネット２に設けられ、かつ表示プレート３３が傾斜面３３ｂを介して２段となっている携帯電話機１Ｃを示す断面図であり、図９の（ｂ）は、キャビネット２の上面を除いて示すその平面図である。
【００５７】
本実施の形態の携帯電話機１Ｃには、図７の（ａ）（ｂ）に示すように、例えば、表示プレート３１が傾くのを防止する傾き防止部材としての基板４が設けられているとすることができる。
【００５８】
すなわち、図７の（ａ）（ｂ）においては、表示プレート３１の下側に平面からなる基板４が設けられ、さらにその下に、例えばＳＩＭカード又はＳＤメモリカード等のカードスロット５が設けられている。したがって、表示プレート３１は、引き出し時において、基板４の上面に沿って引き出される。このため、表示プレート３１の引き出し時に表示プレート３１が傾いて引き出し難くなるということが無い。
【００５９】
また、表示プレート３２が傾くのを防止する傾き防止部材としては、図８の（ａ）（ｂ）に示すように、キャビネット２の天井面に垂下するプレート貫通用孔部２ｃを設け、このプレート貫通用孔部２ｃに表示プレート３２を通す構成とすることも可能である。これにより、表示プレート３２を引き出すときに、表示プレート３２がプレート貫通用孔部２ｃに案内されて水平に引き出される。このため、このため、表示プレート３２の引き出し時に表示プレート３２が傾いて引き出し難くなるということが無い。
【００６０】
尚、図８の（ａ）（ｂ）に示す構成では、表示プレート３２には、例えば２本の閉スリット３２ａ・３２ａが形成されており、プレート貫通用孔部２ｃはこの閉スリット３２ａ・３２ａに通されている。この結果、表示プレート３２を引き出しても、プレート貫通用孔部２ｃは閉スリット３２ａ・３２ａから抜けない。したがって、図８の（ａ）（ｂ）に示すプレート貫通用孔部２ｃは、表示プレート３２がキャビネット２から抜け落ちるのを防止する抜け落ち防止部材としての機能をも有している。
【００６１】
さらに、表示プレート３３が傾くのを防止する傾き防止部材としては、図９の（ａ）（ｂ）に示すように、キャビネット２の天井面に方形の枠体からなるプレート貫通用孔部２ｄを設けると共に、表示プレート３３の最奥部３３ａを設け、表示プレート３３を引き出した時に、表示プレート３３の最奥部３３ａがプレート貫通用孔部２ｄの開口２ａ側の端部に係止される構成とすることができる。
【００６２】
これにより、プレート貫通用孔部２ｄは、表示プレート３３を引き出すときに蓋体１０の引き出し方向に平行に表示プレート３３を引き出すことができ、表示プレート３３が傾くのを防止する傾き防止部材としての機能を有している。また、プレート貫通用孔部２ｄは、表示プレート３３を引き出すときに表示プレート３３の最奥部３３ａが、方形枠体からなるプレート貫通用孔部２ｄの開口２ａ側の端部で係止される。この結果、プレート貫通用孔部２ｄは、表示プレート３３がキャビネット２から抜け落ちるのを防止する抜け落ち防止部材としての機能を有している。
【００６３】
また、図９の（ａ）においては、表示プレート３３は傾斜面３３ｂを有して２段に形成されている。これにより、例えば、表示プレート３３の下側に前述したカードスロット５を設ける場合に、カードスロット５を設けるための大きな空間を確保することができる。
【００６４】
このように、本実施の形態の携帯電話機１Ｃでは、表示プレート３１・３２・３３の引き出し時に、表示プレート３１・３２・３３が傾くのを防止する傾き防止部材としての基板４・プレート貫通用孔部２ｃ・プレート貫通用孔部２ｄが設けられている。これにより、傾き防止部材の存在により、表示プレート３１・３２・３３を蓋体１０の引き出し方向に平行に引き出すことができる。
【００６５】
また、本実施の形態における携帯電話機１Ｃでは、表示プレート３２・３３の引き出し時に、表示プレート３２・３３がキャビネット２から抜け落ちるのを防止する抜け落ち防止部材としてのプレート貫通用孔部２ｃ・プレート貫通用孔部２ｄが設けられている。これにより、表示プレート３２・３３を引き出したときに、抜け落ち防止部材により、表示プレート３２・３３がキャビネット２から抜け落ちるのを防止することができる。
【００６６】
〔まとめ〕
本発明の態様１における携帯端末（携帯電話機１Ａ・１Ｂ・１Ｃ）は、携帯端末（携帯電話機１Ａ・１Ｂ・１Ｃ）に表記が必要な記号である表記必要記号を表示する表示部材（表示プレート１２・２１〜２４・３１〜３３）を収容する携帯端末において、前記表示部材（表示プレート１２・２１〜２４・３１〜３３）を出し入れするための開口２ａを有する筐体（キャビネット２）と、前記開口２ａを施蓋する蓋体１０とを備えていると共に、前記表示部材（表示プレート１２・２１〜２４・３１〜３３）は、前記蓋体１０を開状態にするときの引き出し移動に伴って引き出されるようになっていることを特徴としている。
【００６７】
上記構成によれば、表示部材は、蓋体を開状態にするときの引き出し移動に伴って引き出される。このため、蓋体の開動作と表示部材の引き出し動作とが連動しているので、蓋体を開状態にした後、別途に表示部材を取り出す行為が不要となる。この結果、別途に表示部材を取り出すための指等を挿入する空間を設ける必要がなくなる。
【００６８】
したがって、開口及び蓋体のサイズを小さくしても、表示部材を取り出して表示を容易に見ることができる携帯端末を提供することができる。
【００６９】
本発明の態様２における携帯端末（携帯電話機１Ａ・１Ｂ・１Ｃ）では、前記表示部材（表示プレート１２・２１〜２４・３１〜３３）は、前記筐体（キャビネット２）の内部において前記蓋体１０の引き出し移動を案内する引き出し案内軸としての機能を有しているとすることができる。
【００７０】
これにより、蓋体は、引き出し案内軸として機能する表示部材に案内されて引き出されて開状態となる。この結果、蓋体の開閉方式を引き出し方式に変え、引き出し案内軸に表記必要記号を表示することにより、開口及び蓋体のサイズを小さくすることが可能となり、かつ蓋体の開動作に伴って表示部材を引き出し可能となっている。
【００７１】
本発明の態様３における携帯端末（携帯電話機１Ａ）では、前記表示部材（表示プレート１２）は、前記蓋体１０に接合されているとすることができる。
【００７２】
これにより、接着等の接合により、表示部材と蓋体とを容易に一体化することができる。
【００７３】
本発明の態様４における携帯端末（携帯電話機１Ａ）では、前記表示部材（表示プレート１２）は、前記蓋体１０に一体成形されているとすることができる。
【００７４】
これにより、一体成形により、表示部材と蓋体とを一体化することができる。この結果、表示部材と蓋体との接合工程を省略することができるので、工数の削減を図ることができる。
【００７５】
本発明の態様５における携帯端末（携帯電話機１Ａ）は、前記蓋体１０及び表示部材（表示プレート１２）のいずれか一方にはフック部１３ａが設けられ、前記蓋体１０及び表示部材（表示プレート１２）のいずれか他方には被フック部（フック部用開口１２ｂ）が設けられ、前記蓋体１０を開状態にするときの引き出し移動するときに、前記フック部１３ａが被フック部（フック部用開口１２ｂ）に係止されるようになっているとすることができる。
【００７６】
これにより、蓋体が閉状態であるときには、蓋体と表示部材とは一体化されていないが、蓋体を引っ張り出すことによって、フック部が被フック部に係止されて表示部材が引き出される。
【００７７】
この方法によっても、表示部材は、蓋体を開状態にするときの引き出し移動に伴って引き出されるようになっているとすることが可能となる。
【００７８】
本発明の態様６における携帯端末（携帯電話機１Ａ）では、前記フック部１３ａが被フック部（フック部用開口１２ｂ）に係止されたときに、該係止が外れるのを防止する係止解除防止部材１５が設けられているとすることができる。
【００７９】
これにより、係止解除防止部材により、蓋体を開状態にするときの引き出し移動に伴って表示部材を引き出す場合に、係止解除防止部材により、フック部における被フック部への係止が解除されることなく、表示部材を確実に引き出すことができる。
【００８０】
本発明の態様７における携帯端末（携帯電話機１Ｂ）では、前記表示部材（表示プレート２１）は、前記蓋体１０の厚み方向の一部に設けられているとすることができる。
【００８１】
これにより、例えば、表示部材を薄板状に形成して、蓋体の厚み方向の一部である例えば上面に接合することが可能である。この結果、蓋体の幅方向においては表示部材が存在しないので、蓋体の幅方向の長さを短くすることが可能となる。
【００８２】
本発明の態様８における携帯端末（携帯電話機１Ｂ）では、前記表示部材（表示プレート２２）は、前記蓋体１０の幅方向の一部に設けられているとすることができる。
【００８３】
これにより、例えば、表示部材を薄板状に形成して、蓋体の幅方向の一部である例えば側面に接合することが可能である。この結果、蓋体の厚み方向においては表示部材が存在しないので、蓋体の厚み方向の長さを短くすることが可能となる。
【００８４】
本発明の態様９における携帯端末（携帯電話機１Ｂ）では、前記表示部材（表示プレート２４）は、引き出し奥部が引き出し手前部よりも幅の広い幅広部２４ａを有しているとすることができる。
【００８５】
これにより、引き出し奥部における幅広部では、表記必要記号を表示する領域が大きくなるので、表記必要記号等の表示領域を増大することができる。また、引き出し手前部は、幅広部に比べて狭くなっている。このため、例えばＳＩＭカードが表示部材に重ねて収容されている場合に、ＳＩＭカードを容易に取り出すことが可能となる。また、幅広部の存在により、表示部材の強度を増加することができる。
【００８６】
本発明の態様１０における携帯端末（携帯電話機１Ｂ）では、前記表示部材（表示プレート２４）には、引き出し時に、前記筐体における開口に引っ掛かって引き出し動作に抵抗となる突起２４ｂが形成されているとすることができる。尚、このようになるためには、突起又は開口の縁が弾性部材からなっていることが好ましい。
【００８７】
これにより、表示部材の引き出し時に、突起が筐体における開口に引っ掛かって引き出し動作に抵抗となった時点で、引き出し動作を停止すれば、表示部材に表示された表記必要記号を確認することができる。一方、その後、さらに、表示部材を引き出すことによって、表示部材を筐体から完全に引き出すことが可能となる。
【００８８】
本発明の態様１１における携帯端末（携帯電話機１Ｃ）では、前記表示部材（表示プレート３１〜３３）の引き出し時に、前記表示部材（表示プレート３１〜３３）が傾くのを防止する傾き防止部材（基板４・プレート貫通用孔部２ｃ・２ｄ）が設けられているとすることができる。
【００８９】
これにより、傾き防止部材の存在により、表示部材を蓋体の引き出し方向に平行に引き出すことができる。
【００９０】
本発明の態様１２における携帯端末（携帯電話機１Ｃ）では、前記表示部材（表示プレート３２・３３）の引き出し時に、前記表示部材（表示プレート３２・３３）が前記筐体（キャビネット２）から抜け落ちるのを防止する抜け落ち防止部材（プレート貫通用孔部２ｃ・２ｄ）が設けられているとすることができる。
【００９１】
これにより、表示部材を引き出したときに、抜け落ち防止部材により、表示部材が筐体から抜け落ちるのを防止することができる。
【００９２】
尚、本発明の一態様は、上述した各実施形態に限定されるものではなく、請求項に示した範囲で種々の変更が可能であり、異なる実施形態にそれぞれ開示された技術的手段を適宜組み合わせて得られる実施形態についても本発明の一態様の技術的範囲に含まれる。さらに、各実施形態にそれぞれ開示された技術的手段を組み合わせることにより、新しい技術的特徴を形成することができる。
【符号の説明】
【００９３】
１Ａ・１Ｂ・１Ｃ  携帯電話機（携帯端末）
２                キャビネット（蓋体）
２ａ              開口
２ｂ              引っ掛かり部
２ｃ・２ｄ        プレート貫通用孔部（傾き防止部材）
３                表示部
４                基板（傾き防止部材）
５                カードスロット
１０                蓋体
１１                治具挿入孔
１２                表示プレート（表示部材）
１２ａ              識別番号記載部
１２ｂ              フック部用開口（被フック部）
１３                プレート取付部
１３ａ              フック部
１４                接着剤
１５                係止解除防止部材
２１〜２４          表示プレート（表示部材）
２４ａ              幅広部
２４ｂ              突起
３１〜３３          表示プレート（表示部材）
３２ａ              閉スリット
３３ａ              最奥部
３３ｂ              傾斜面
【図１】
2019186769.tif 000003
【図２】
2019186769.tif 000004
【図３】
2019186769.tif 000005
【図４】
2019186769.tif 000006
【図５】
2019186769.tif 000007
【図６】
2019186769.tif 000008
【図７】
2019186769.tif 000009
【図８】
2019186769.tif 000010
【図９】
2019186769.tif 000011
【図１０】
2019186769.tif 000012